(57)【要約】【課題】タッチパネルを用いた入力操作における誤選択に係る操作の煩雑さを軽減すること。【解決手段】表示部６と一体形成されたタッチパネル入力部５と、タッチパネル入力部５に対する入力操作に基づいて所定の選択候補が選択されたことを検知するタッチパネル入力情報取得部９−１と、所定の選択候補が選択されたことが検知された場合、表示部６に選択候補が選択された旨を表示する選択候補表示部９−２と、表示部６上で選択された選択候補から所定の範囲内に位置する別の選択候補の情報を保存する別選択候補保存部９−３と、長押し等の所定の再選択指示が発生したことを検出する再選択指示検出部９−６と、再選択指示の発生が検出された場合、別選択候補保存部９−３が保存した別の選択候補の情報を表示する別選択候補表示部９−７とを備える。【選択図】図１
2013073327.tif 000002
【特許請求の範囲】
【請求項１】
操作画面を介して入力する操作指示を受け付ける入力部と、
前記操作画面を表示する表示部と、
前記操作画面に表示されている複数の選択候補のうち一の選択候補を選択する選択指示を前記入力部が受け付けた場合、前記選択された選択候補を示す情報を取得する入力情報取得部と、
前記入力情報取得部によって前記選択された選択候補を示す情報が取得された場合、前記表示部の前記操作画面において前記選択された選択候補周辺の予め決められた範囲内に位置する別の選択候補を示す情報を保存する別選択候補保存部と、
前記選択された選択候補の変更を指示する再選択指示を前記入力部が受け付けたことを検出する再選択指示検出部と、
前記再選択指示検出部が前記再選択指示を受け付けたことを検出した場合、前記別選択候補保存部が保存した前記別の選択候補を示す情報を読み出し、前記別の選択候補を選択する選択指示を入力する前記操作画面として前記表示部に表示する別選択候補表示部と、
を備えることを特徴とする入力操作処理装置。
【請求項２】
前記入力情報取得部によって前記選択された選択候補を示す情報が取得された場合、前記表示部に前記選択候補が選択されたことを前記表示部に表示する選択候補表示部をさらに備え、
前記別選択候補表示部は、
前記別の選択候補を選択する選択指示を入力する前記操作画面を介して、前記別の選択候補を選択する選択指示を前記入力部が受け付けた場合、前記選択候補表示部によって表示されている前記選択候補が選択されたことを表示する表示を解除し、前記別の選択候補が選択されたことを表示することを前記表示部に表示することを特徴とする請求項１に記載の入力操作処理装置。
【請求項３】
前記別選択候補表示部は、
前記別選択候補を示す情報を前記操作画面として表示する場合、前記選択された選択候補を示す情報が前記入力情報取得部によって取得された際に前記操作画面に表示されていた前記別の選択候補の表示サイズよりも大きい表示サイズで表示することを特徴とする請求項１あるいは２に記載の前記入力操作装置。
【請求項４】
前記再選択指示検出部は、
前記操作画面に対する前記再選択指示を受け付けた場合、直前に選択された前記選択候補の変更を指示する前記再選択指示を検出することを特徴とする請求項１から３のうちいずれか一項に記載の入力操作処理装置。
【請求項５】
前記再選択指示検出部は、
前記操作画面に表示されている前記選択された選択候補を所定時間以上の押下しつづける操作を前記入力部が受け付けた場合、当該押下された前記選択候補の変更を指示する前記再選択指示を検出することを特徴とする請求項１から４のうちいずれか一項に記載の入力操作処理装置。
【請求項６】
操作画面に表示されている複数の選択候補のうち一の選択候補を選択する選択指示を入力部が受け付けた場合、前記選択された選択候補を示す情報を取得する入力情報取得ステップと、
前記入力情報取得ステップにおいて前記選択された選択候補を示す情報が取得された場合、前記操作画面において前記選択された選択候補周辺の予め決められた範囲内に位置する別の選択候補を示す情報を保存する別選択候補保存ステップと、
前記選択された選択候補の変更を指示する再選択指示を前記入力部が受け付けたことを検出する再選択指示検出ステップと、
前記再選択指示検出ステップにおいて前記再選択指示を受け付けたことが検出された場合、前記別選択候補保存ステップにおいて保存された前記別の選択候補を示す情報を読み出し、前記別の選択候補を選択する選択指示を入力する前記操作画面として表示部に表示する別選択候補表示ステップと、
を備えることを特徴とする入力操作処理方法。
【請求項７】
コンピュータを、
前記操作画面に表示されている複数の選択候補のうち一の選択候補を選択する選択指示を受け付けた場合、前記選択された選択候補を示す情報を取得する入力情報取得手段、
前記入力情報取得手段によって前記選択された選択候補を示す情報が取得された場合、前記操作画面において前記選択された選択候補周辺の予め決められた範囲内に位置する別の選択候補を示す情報を保存する別選択候補保存手段、
前記選択された選択候補の変更を指示する再選択指示を受け付けたことを検出する再選択指示検出手段、
前記再選択指示検出手段において前記再選択指示を受け付けたことを検出した場合、前記別選択候補保存手段が保存した前記別の選択候補を示す情報を読み出し、前記別の選択候補を選択する選択指示を入力する前記操作画面として表示する別選択候補表示手段、
として機能させるための入力操作処理プログラム。
【発明の詳細な説明】
【技術分野】
【０００１】
本発明は、タッチパネル等の入力装置に対する入力操作に応じて処理を行う際に用いて好適な入力操作処理装置、入力操作処理方法及び入力操作処理プログラム
【背景技術】
【０００２】
昨今、タッチパネルを搭載した携帯電話等の端末装置が急速に普及してきている。タッチパネルは、カーナビゲーション装置やノート型ＰＣ（パーソナルコンピュータ）等の端末装置にも搭載され、最近ではスマートフォンに代表されるように携帯電話ではほぼ必須のデバイスになってきている。
【０００３】
また、一部の端末装置では、タッチパネルにて全ての入力操作を行うことが出来るようになっている。このような状況において、タッチパネルを用いた入力操作の操作性を向上させるための技術が開発されている。
【０００４】
例えば特許文献１には、タッチパネルを用いた文字入力操作の利便性を向上させるための技術の一例が示されている。特許文献１に記載されている文字入力装置では、入力された読み文字列に基づく変換候補として、複数の一次候補が表示される。そして、ユーザが１つの一次候補を選択すると、選択した文字列が仮確定文字列として、入力された読み文字列に置き換えて表示される。ここでユーザが仮確定文字列に対してスライド操作を行うと、その操作によって指定された文字長の文字列のみが候補として表示される。
【０００５】
また、例えば特許文献２には、タッチパネルの１ヶ所が特定の時間以上継続してタッチ操作されることにより、そのタッチ操作された箇所を中心として、表示倍率を上昇（ズーム）させる技術が示されている。
【先行技術文献】
【特許文献】
【０００６】
【特許文献１】特開２００９−２１７６３２号公報
【特許文献２】特開２００９−３０１２８２号公報
【発明の概要】
【発明が解決しようとする課題】
【０００７】
タッチパネルでは、一般に、画面上に配置されたソフトキー（ソフトウェアキーとも呼ばれる。）といった選択候補を選択することで入力操作が行われる。ソフトキー等を用いた入力操作の際には、画面上に複数の選択候補がある場合、ユーザの意図しない選択候補が選択されてしまう誤選択が発生することがある。これは物理的なハードキー（物理的な操作子を有するキー、ハードウェアキーとも呼ばれる。）を使用していないため選択候補の境目を指等で判別することが出来ないことが要因の一つである。また、文字入力時の変換候補選択においても誤選択が多くなる傾向があり、ハードキーを用いる場合と比較して一文入力に掛かる時間が増加している。
【０００８】
上述したように、誤選択が発生することの１つの要因はタッチパネルの基本的な構造に起因するものである。そのため、誤選択自体を完全に防止することは容易ではない。また、誤選択が発生した場合には、別の候補を再選択するために、通常の入力操作と異なる煩雑な操作が必要となることがある。すなわち、誤選択がなされた場合に係る操作はタッチパネルを用いた入力操作の煩雑さを増加させる１つの要因となっていた。
【０００９】
本発明は、上記の課題を解決することができる入力操作処理装置、入力操作処理方法及び入力操作処理プログラムを提供することを目的とする。
【課題を解決するための手段】
【００１０】
上記課題を解決するため、本発明の一実施形態に対応する入力操作処理装置は、操作画面を介して入力する操作指示を受け付ける入力部と、前記操作画面を表示する表示部と、前記操作画面に表示されている複数の選択候補のうち一の選択候補を選択する選択指示を前記入力部が受け付けた場合、前記選択された選択候補を示す情報を取得する入力情報取得部と、前記入力情報取得部によって前記選択された選択候補を示す情報が取得された場合、前記表示部の前記操作画面において前記選択された選択候補周辺の予め決められた範囲内に位置する別の選択候補を示す情報を保存する別選択候補保存部と、前記選択された選択候補の変更を指示する再選択指示を前記入力部が受け付けたことを検出する再選択指示検出部と、前記再選択指示検出部が前記再選択指示を受け付けたことを検出した場合、前記別選択候補保存部が保存した前記別の選択候補を示す情報を読み出し、前記別の選択候補を選択する選択指示を入力する前記操作画面として前記表示部に表示する別選択候補表示部と、を備える。
【００１１】
また、本発明の一実施形態に対応する入力操作処理方法は、操作画面に表示されている複数の選択候補のうち一の選択候補を選択する選択指示を入力部が受け付けた場合、前記選択された選択候補を示す情報を取得する入力情報取得ステップと、前記入力情報取得ステップにおいて前記選択された選択候補を示す情報が取得された場合、前記操作画面において前記選択された選択候補周辺の予め決められた範囲内に位置する別の選択候補を示す情報を保存する別選択候補保存ステップと、前記選択された選択候補の変更を指示する再選択指示を前記入力部が受け付けたことを検出する再選択指示検出ステップと、前記再選択指示検出ステップにおいて前記再選択指示を受け付けたことが検出された場合、前記別選択候補保存ステップにおいて保存された前記別の選択候補を示す情報を読み出し、前記別の選択候補を選択する選択指示を入力する前記操作画面として表示部に表示する別選択候補表示ステップと、を備える。
【００１２】
また、本発明の一実施形態に対応する入力操作処理プログラムは、コンピュータを、前記操作画面に表示されている複数の選択候補のうち一の選択候補を選択する選択指示を受け付けた場合、前記選択された選択候補を示す情報を取得する入力情報取得手段、前記入力情報取得手段によって前記選択された選択候補を示す情報が取得された場合、前記操作画面において前記選択された選択候補周辺の予め決められた範囲内に位置する別の選択候補を示す情報を保存する別選択候補保存手段、前記選択された選択候補の変更を指示する再選択指示を受け付けたことを検出する再選択指示検出手段、前記再選択指示検出手段において前記再選択指示を受け付けたことを検出した場合、前記別選択候補保存手段が保存した前記別の選択候補を示す情報を読み出し、前記別の選択候補を選択する選択指示を入力する前記操作画面として表示する別選択候補表示手段、として機能させるための入力操作処理プログラムである。
【発明の効果】
【００１３】
上記の構成によれば、タッチパネルを用いた入力操作における誤選択に係る操作の煩雑さを軽減することができる。
【図面の簡単な説明】
【００１４】
【図１】本発明の一実施形態の構成を説明するためのブロック図である。
【図２】図１のタッチパネル入力情報取得部９−１による処理の流れを示すフローチャートである。
【図３】図１の選択候補表示部９−２による処理の流れを示すフローチャートである。
【図４】図１の別選択候補保存部９−３による処理の流れを示すフローチャートである。
【図５】図１の選択候補確定部９−５による処理の流れを示すフローチャートである。
【図６】図１の別選択候補表示部９−７による処理の流れを示すフローチャートである。
【図７】図１の表示部６の表示例及びタッチパネル入力部５による入力例を説明するための図である。
【図８】図１の表示部６の他の表示例及びタッチパネル入力部５による他の入力例を説明するための図である。
【図９】本発明の一実施形態の構成を説明するためのブロック図である。
【発明を実施するための形態】
【００１５】
以下、図面を参照して本発明の実施の形態について説明する。図１は、本発明による入力操作処理装置の一実施の形態の構成例を示すブロック図である。図１（Ａ）の端末装置１０は、例えば携帯電話などの通信端末である。端末装置１０の全部または一部が、本発明による入力操作処理装置に対応している。図１（Ａ）の端末装置１０は、記憶部１、無線部２、アンテナ３、ＣＰＵ（中央処理装置）４、タッチパネル入力部５、表示部６、ハードキー入力部７及びＣＰＵバス８を備えて構成されている。また、図１の端末装置１０は、ＣＰＵ４が記憶部１等に記憶されている所定のプログラムを実行することで実現される機能ブロックとしての、タッチパネル入力情報取得部９−１、選択候補表示部９−２、別選択候補保存部９−３、選択候補確定指示検出部９−４、選択候補確定部９−５、再選択指示検出部９−６、及び別選択候補表示部９−７を有している。
【００１６】
記憶部１は、ＣＰＵ４が動作する際に用いるプログラム及びデータを保存する等の際に使用される。本実施形態において、記憶部１は、図１（Ｂ）に示すデータを保存する。すなわち、記憶部１は、別選択候補の範囲閾値１−１と、別選択候補情報１−２とを保持する。
【００１７】
別選択候補の範囲閾値１−１は、ユーザによって選択された１つの選択候補（仮に選択候補Ａとする）を基準として、選択候補Ａが誤選択であったとした場合に、ユーザが意図していた選択候補であったと予想される別の選択候補を抽出する際に基準として用いられる値である。この別選択候補の範囲閾値１−１は、表示部６の画面上での距離に対応する値であって、例えば表示部６の表示画面の画素数に対応する値として設定することができる。また、別選択候補の範囲閾値１−１は、選択候補Ａを表すソフトキーの中心又は端部からの別選択候補を表すソフトキーの中心又は端部までの直線距離や縦及び横方向の距離を表す値とすることができる。
【００１８】
別選択候補情報１−２は、別選択候補の範囲閾値１−１を基準として選択された１又は複数の別の選択候補を表すデータである。別選択候補情報１−２には、別の選択候補に対応するソフトキー、文字列、画像等に対応した、文字列情報や画像情報、形状情報、位置情報等を含むようにすることができる。
【００１９】
無線部２は、アンテナ３を用いて、図示していない外部の無線基地局等との間で無線通信を行う。アンテナ３は、所定周波数での通信用アンテナである。
【００２０】
ＣＰＵ（中央処理装置）４は、記憶部１に格納されている所定のプログラムを実行することで、ＣＰＵバス８を介して接続されている無線部２、タッチパネル入力部５、表示部６、ハードキー入力部７等の制御や信号入力を行う。また、ＣＰＵ４は、タッチパネル入力情報取得部９−１、選択候補表示部９−２、別選択候補保存部９−３、選択候補確定指示検出部９−４、選択候補確定部９−５、再選択指示検出部９−６、及び別選択候補表示部９−７を構成するプログラムであって、記憶部１に格納されている所定のプログラムを実行する。
【００２１】
タッチパネル入力部５は、表示部２に一体として形成された入力装置であり、例えばユーザの指による接触操作の有無と、接触操作がなされた場合にその位置や動きを表す情報とを検知して出力する。タッチパネル入力部５は、例えば静電容量方式、電磁誘導方式等既存の種々の検出方式を用いて構成することができる。つまり、タッチパネル入力部５は、表示部２に表示される操作画面を介して入力する操作指示を受け付け、受け付けた操作指示を示す情報を出力する。
【００２２】
表示部６は、画像及び文字、記号等を表示する表示装置であり、例えば液晶ディスプレイ、有機ＥＬディスプレイ（ｏｒｇａｎｉｃ  ｅｌｅｃｔｒｏｌｕｍｉｎｅｓｃｅｎｃｅ  ｄｉｓｐｌａｙ）、電気泳動方式のディスプレイ等を用いて構成することができる。この表示部６は、タッチパネル入力部５が受け付ける操作指示の入力エリアに、操作画面を表示する。
【００２３】
ハードキー入力部７は、ユーザが入力操作を行う押しボタンスイッチ等の操作子を１又は複数含んでいる。
【００２４】
ＣＰＵバス８は、ＣＰＵ４と、記憶部１、無線部２、タッチパネル入力部５、表示部６及びハードキー入力部７との間を接続し、各部の間でやりとりされる各種の信号が送受信される。
【００２５】
なお、図１は、端末装置１０において本発明の実施形態を説明する際に用いる構成を示したものであって、端末装置１０には例えば、他にマイク等のオーディオ入力部、スピーカ等のオーディオ出力部、加速度センサ等を用いたモーション検出機能、カメラ機能等を実行するための撮像部、ライト、近距離通信部等の構成が含まれている。また、端末装置１０では、ＣＰＵ４によって、所定のプログラムを実行することで、音声通話機能、電子メール送受信機能、インターネットブラウザ機能、音声認識機能等の図示していない種々の機能が実行される。また、端末装置１０では、読み仮名等を入力して漢字等の文字列に変換する文字変換機能も有している。
【００２６】
また、タッチパネル入力情報取得部９−１は、タッチパネル入力部５に対するユーザによる入力操作を表す情報を、タッチパネル入力部５から入力情報として取得する。また、タッチパネル入力情報取得部９−１は、取得した入力情報に基づいて、例えば、表示部６上に１又は複数の選択候補（例えばソフトキー等）が表示されている場合に、タッチパネル入力部５に対するユーザの入力操作によって、どの選択候補が押下されたのかということや、どのくらいの時間継続して押下されているのかといったことを、所定の演算処理によって検知し、出力する。言い換えると、操作画面に表示されている複数の選択候補のうち一の選択候補を選択する選択指示をタッチパネル入力部５が受け付けた場合、タッチパネル入力情報取得部９−１は、この選択された選択候補を示す情報を取得する。
【００２７】
選択候補表示部９−２は、タッチパネル入力情報取得部９−１によって所定の選択候補が選択されたことが検知された場合（すなわち、選択された選択候補を示す情報を取得した場合）、この選択された選択候補を示す情報を、選択候補が選択されたことを表示する情報として、表示部６に表示する。例えば、画面内の入力欄に、選択候補を表示する。その際、選択候補表示部９−２は、選択候補が選択された場合に、その選択候補の選択が確定される前に（すなわち確定状態とされる前に）、当該選択候補を表す情報を表示部６に表示する。ここで、ここで選択候補とは、ユーザのタッチパネル入力部５に対する入力操作等に応じて選択される、表示部６の表示面上に表示されている対象物を意味する。選択候補の例としては、表示部６上に表示されているソフトキーや、ブラウザ機能等を用いて閲覧しているウェブページ内のリンクを表す文字列やリンク付きの画像、メニュー画面に表示されるアイコン等の画像があげられる。また、確定状態とは、当該選択候補が選択されたことを前提として次の処理に移行することが可能となった状態あるいは次の処理に移行した状態を意味する。したがって、選択候補表示部９−２は、当該選択候補が選択されたことを前提として次の処理に移行することが可能となる前の状態で、又は次の処理に移行する前に、選択されたと検知された選択候補を表す情報を表示部６に表示する。具体例については後述する。
また、選択候補表示部９−２が、選択されたと検知された選択候補を表す情報を「表示部６に表示する」ということは、選択候補を表す情報を選択候補とは異なる位置に表示する場合に限らず、選択候補の色等を変化させて同じ位置に表示する場合等、表示形態を変化させて表示する場合も含むものとする。
【００２８】
ここで、選択候補表示部９−２が行う処理の具体例を示して説明する。例えば、文字入力処理であれば、読み仮名に対する変換候補が選択候補であり、確定状態はその変換候補への変換が確定したことを意味する。この場合、選択候補表示部９−２は、表示部６に表示されている複数の変換候補の文字列のいずれかが選択された場合に、選択された文字列を、表示部６内のテキストボックス等の所定の表示領域に選択された文字列を表示する。
【００２９】
例えば、ブラウザ機能であれば、リンク先を有する文字列や画像が選択候補であり、確定状態は選択された選択候補に対応するリンク先に対応するウェブページ等の情報を呼び出す処理が開始されたことを意味する。この場合、選択候補表示部９−２は、表示部６に表示されている複数のリンク先を有する文字列や画像のいずれかが選択された場合に、選択された文字列や画像を、その表示形態を変化させて表示する。例えば選択候補表示部９−２は、選択された文字列の表示色を変化させたり、点滅させて表示したり、画像の透明度を変化させたり、所定の色の半透明フィルタを重ねて画像に表示したりすることで表示形態を変化させる。
【００３０】
例えば、メニュー機能であれば、メニュー中のアイコンが選択候補であり、確定状態は選択された選択候補に対応する機能が開始された状態を意味する。この場合、選択候補表示部９−２は、表示部６に表示されている複数のアイコンのいずれかが選択された場合に、選択されたアイコンを、その表示形態を変化させて表示する。例えば選択候補表示部９−２、選択されたアイコンの表示色を変化させたり、点滅させて表示したり、透明度を変化させたり、所定の色の半透明フィルタを重ねて表示したりすることで表示形態を変化させる。
【００３１】
別選択候補保存部９−３は、タッチパネル入力情報取得部９−１で検知された選択候補の情報と、記憶部に記憶されている別選択候補の範囲閾値１−１の情報とに基づいて、選択候補から別選択候補の範囲閾値１−１で決まる所定の範囲内に位置する別の選択候補を抽出する。別選択候補保存部９−３は、表示部６上で選択された選択候補から所定の範囲内に位置する別の選択候補の情報を記憶部１に別選択情報１−２として保存する。
【００３２】
選択候補確定指示検出部９−４は、ユーザがタッチパネル入力部５等に対して所定の確定指示入力を行ったことを検出し、検出した場合に所定の割り込み信号を生成する。選択候補確定指示検出部９−４は、例えば選択候補に対する選択操作が所定の時間内であった場合に確定指示があったと検出する。すなわち、ある選択候補を示すソフトキーの押下の開始時刻から終了時刻までの時間が所定の時間以内であった場合に、選択候補確定指示検出部９−４は、当該選択候補に対して確定指示があったと検出する。この例では、ある選択候補を示すソフトキーの押下時間が所定の時間を超えた場合、選択候補確定指示検出部９−４は、確定指示を検出しないので、所定の指示入力を検出した場合に生成する所定の割り込み信号を生成しない。なお、所定の確定指示入力としては、選択候補選択時の所定時間内のソフトキー押下（すなわち長押しでない押下）のほか、ハードキー入力部７の所定の操作子を操作すること、選択候補選択時の押下に続けて押下している指をスライドさせないこと（例えばソフトキーを押下してそのままタッチパネル入力部５から指を離すこと）、あるいは音声認識機能を用いて確定指示を表す言葉をユーザが発すること、端末装置１０に所定の振動や動きを与えること等の事象を用いることができる。
また、選択候補確定指示検出部９−４は、操作画面に表示されている確定ボタン（例えば「検索」と表示され、確定状態になった場合、確定された選択候補が示す情報をキーとした検索の実行の指示を受け付ける操作ボタン）が押下された場合、確定指示を受けつけるものであってもよい。
【００３３】
選択候補確定部９−５は、選択候補確定指示検出部９−４で所定の選択候補確定指示が検出され、所定の割り込み信号が生成された場合に、タッチパネル入力情報取得部９−１で検知された当該選択候補の選択状態を確定状態とする。
【００３４】
再選択指示検出部９−６は、所定の再選択指示が発生したことを検出し、検出した場合に所定の割り込み信号を生成する。所定の再選択指示とは、ユーザによるタッチパネル入力部５やハードキー入力部７に対する所定の操作であって、ユーザが、選択候補が一旦選択された後に別の選択候補を選択したいと意図した場合に行われる操作である。この再選択指示のためのタッチパネル入力部５に対する所定の操作とは、タッチパネル入力部５に対してなされた所定の選択候補を選択するための操作から連続的になされた後続する操作に基づくものとすることができる。すなわち、タッチパネル入力部５に対する所定の操作は、例えば、選択候補を表すソフトキーやアイコン等の表示領域を長押しする操作（すなわちなんらかの選択候補が一旦選択された後でも所定時間以上継続して選択し続ける操作）であったり、タッチパネル入力部５上で指をスライドさせる操作（すなわちなんらかの選択候補が一旦選択された後に指を離さずに指を動かす操作）であったりする。また、ハードキー入力部７に対する所定の操作とは、所定の押しボタン等を押下する操作である。ただし、所定の再選択指示は、これらの操作に限らず、タッチパネル入力部５上に再選択指示用のソフトキーを設けてその押下操作としたり、音声入力を用いて所定の音声で指示を入力するようにしたり、モーション検出機能にて所定の３次元動作を検出した場合にそれを指示操作とするようにしたりすることができる。
【００３５】
別選択候補表示部９−７は、再選択指示検出部９−６によって所定の再選択指示（つまり、既に選択されている選択候補の変更の指示）の発生が検出された場合に生成される所定の割り込み信号を検出すると、別選択候補保存部９−３が保存した別の選択候補の情報を表示部６上に表示する。この別選択候補表示部９−７が別の選択候補の情報を表示部６上に表示した後、ユーザが、別の選択候補のいずれかを選択する入力操作を行うと、タッチパネル入力情報取得部９−１によって選択操作が検出されるとともに、選択された選択候補の情報が取得される。
また、別選択候補表示部９−７は、再選択指示検出部９−６が再選択指示を受け付けたことを検出した場合、別選択候補保存部９−３が保存した別の選択候補を示す情報を読み出し、別の選択候補を選択する選択指示を入力する操作画面として表示部６に表示する。このとき、別選択候補表示部９−７は、表示部６内のテキストボックス等の所定の表示領域に表示されている“選択された文字列”を解除し、別選択候補保存部９−３から読み出した“別の選択候補”を表示部６内のテキストボックス等の所定の表示領域に表示する。
さらに、別選択候補表示部９−７は、別の選択候補を選択する選択指示を入力する操作画面を介して、別の選択候補を選択する選択指示をタッチパネル入力部５が受け付けた場合、選択候補表示部９−２によって表示されている選択候補が選択されたことを表示する表示を解除し、別の選択候補が選択されたことを表示することを表示部６に表示する。
【００３６】
次に図２〜図８を参照して、図１の端末装置１０の動作について説明する。図２は、図１のタッチパネル入力情報取得部９−１による処理の流れを示すフローチャートである。図３は、図１の選択候補表示部９−２による処理の流れを示すフローチャートである。図４は、図１の別選択候補保存部９−３による処理の流れを示すフローチャートである。図５は、図１の選択候補確定部９−５による処理の流れを示すフローチャートである。図６は、図１の別選択候補表示部９−７による処理の流れを示すフローチャートである。図７は、図１の表示部６の表示例及びタッチパネル入力部５による入力例を説明するための図である。そして、図８は、図１の表示部６の他の表示例及びタッチパネル入力部５による他の入力例を説明するための図である。
【００３７】
図７（Ａ）〜（Ｃ）は、表示部６の表示例６−１〜６−３を示している。表示例６−２は表示例６−１に対して所定の操作を行った場合、表示例６−３は表示例６−２に対して所定の操作を行った場合を示している。また、表示例６−１〜６−３には、いずれも携帯電話のハードキーに類似したソフトキー群６−１１が画面下部に表示されている。ソフトキー群６−１１には、母音に対応したソフトキー等からなる文字キー群６−１２、文字変換を指示する変換キー６−１３等を含んでいる。図７（Ａ）に示す表示例６−１は、ユーザが文字キー群６−１２を操作することで文字入力欄６−１４に文字列「としゆき」が入力されている例である。また、表示例６−１では、ユーザがさらに変換キー６−１３を押下することで、文字変換における変換候補である複数の選択候補が、選択候補キー群６−１５として表示されている。
【００３８】
図７（Ｂ）は、図７（Ａ）の表示例６−１４において選択候補である文字列「憲行」を表すソフトキー６−１５ａに対応するタッチパネル入力部５の入力領域Ａ１をユーザが押下しようとした後に、表示部６に表示される画面の一例を表示例６−２として示している。表示例６−２では、ユーザの意図と異なり、タッチパネル入力部５によって入力領域Ｂ１が押下されたと検出された例を示している。表示例６−２では、さらにタッチパネル入力情報取得部９−１によって文字入力欄６−１４に選択されたソフトキー６−１５ｂが選択されたと検知されたとして、ソフトキー６−１５ｂに対応する文字列「敏之」が文字入力欄６−１４に表示されている。
【００３９】
図７（Ｃ）は、表示例６−２において入力領域Ｂ１が継続して所定時間以上押下されることで、再選択指示検出部９−６で再選択指示が検出され、別選択候補表示部９−７で複数の別選択候補を含む再選択候補欄６−３１が表示された例を、表示例６−３として示している。なお、図示しないが、再選択指示を受け付ける操作ボタンが表示されている場合、この操作ボタンの押下を検出することで、再選択指示検出部９−６が、再選択指示を検出するものであってもよい。
また、表示例６−３において、ユーザが、選択候補６−１５ａ（「憲行」）に対応する再選択候補欄６−３１内のソフトキー６−３１ａを押下することで、意図した選択候補の文字列「憲行」を選択することが可能となる。文字列「憲行」が選択された場合、別選択候補表示部９−７は、文字入力欄６−１４に表示されている文字列「敏之」に換えて、文字列「憲行」を表示する。つまり、別選択候補表示部９−７は、“選択された文字列”「敏之」を解除し、別選択候補保存部９−３から読み出した“別の選択候補”「憲行」を表示部６内の文字入力欄６−１４に表示する。
【００４０】
一方、図８（Ａ）〜（Ｃ）は、表示部６の表示例６−４〜６−６を示している。表示例６−５は表示例６−４に対して所定の操作を行った場合、表示例６−６は表示例６−５に対して所定の操作を行った場合を示している。また、表示例６−４〜６−６は、ブラウザ機能にて所定のウェブページを閲覧している状態を示している。表示例６−４〜６−６では、選択候補となるリンク先が対応付けられている文字列Ａ〜Ｆ及び画像Ａ〜Ｅが表示されている。
【００４１】
表示例６−５は、表示例６−４において「画像Ｂ」６−４１を選択しようとしてユーザが表示領域Ａ１１を押下しようとしたものの、表示領域Ｂ１１が押下されたとタッチパネル入力部５で検知された場合を示している。この場合、表示例６−５では、タッチパネル入力情報選択部９−１で「文字列Ｂ」６−５１が選択されたと検知され、選択候補表示部９−２によって「文字列Ｂ」６−５１の表示色が変更されている。また、表示例６−６は、表示例６−５において入力領域Ｂ１１が所定時間に達するまで押下され続けて、再選択指示検出部９−６から割り込み信号が出力され、別選択候補表示部９−７によって再選択候補欄６−６１が表示された場合を示している。この場合、別選択候補表示部９−７は、例えば、“選択された文字列”「文字列Ｂ」の選択を解除し、別選択候補保存部９−３から読み出した“別の選択候補”「画像Ｂ」を選択したことを表示部６に表示する。例えば、別選択候補表示部９−７は、「文字列Ｂ」の表示色を変更前の色に戻し、「画像Ｂ」の表示食を変更する。
【００４２】
なお、図７の再選択候補欄６−３１あるいは図８の再選択候補欄６−６１として示したように別選択候補を表示する場合には、別選択候補を表すソフトキーや文字列、画像等を、表示例６−６として示したように別ウィンドウでまとめて表示したり、拡大して表示したり、強調するためあるいは見やすくするため表示色を変更したりして表示することができる。
【００４３】
次に、図２を参照して、タッチパネル入力情報取得部９−１による処理の流れについて説明する。タッチパネル入力情報取得部９−１は、所定の周期で定期的に呼び出されるプログラムを用いて構成されている。タッチパネル入力情報取得部９−１は、タッチパネル入力部５から入力情報を取得すると（ステップＳ１１）、取得した入力情報がいずれかの選択候補が選択されたことを示すものであるか否かを判定する（ステップＳ１２）。選択候補が選択されていない場合（ステップＳ１２でＮｏの場合）、処理が終了する。一方、いずれかの選択候補が選択されていると判定した場合（ステップＳ１２でＹｅｓの場合）、タッチパネル入力情報取得部９−１は、選択候補表示部９−２を構成するプログラムを呼び出して、選択候補を表示する処理を実施する（ステップＳ１３）。
【００４４】
図３は、図２のステップＳ１３で呼び出される図１の選択候補表示部９−２を構成するプログラムによる処理の流れを示すフローチャートである。処理が呼び出されると、選択候補表示部９−２は、選択候補が選択されたことを表示部６に表示し（ステップＳ２１）、処理を終了する。
【００４５】
図７に示した例では、表示例６−１において選択候補６−１５ｂ（すなわち入力領域Ｂ１）が選択された場合、ステップＳ１２でタッチパネル入力情報取得部９−１によって選択候補が選択されていると判定されるので、ステップＳ１３及びステップＳ２１では、表示例６−２に示すように選択候補表示部９−２によって選択候補（この場合「敏之」）が文字入力欄６−１４に表示される。
【００４６】
一方、図８に示した例では、表示例６−４において選択候補６−５１（すなわち入力領域Ｂ１１）が選択された場合、ステップＳ１２でタッチパネル入力情報取得部９−１によって選択候補が選択されていると判定されるので、ステップＳ１３及びステップＳ２１では、表示例６−５に示すように選択候補表示部９−２によって選択候補６−５１（この場合「文字列Ｂ」）が表示色を変更して表示される。
【００４７】
ステップＳ１３の処理が終わると、タッチパネル入力情報取得部９−１は、別選択候補保存部９−３を構成するプログラムを呼び出して、別選択候補についての情報を保存する処理を実施する（ステップＳ１４）。
【００４８】
図４は、図２のステップＳ１４で呼び出される図１の別選択候補保存部９−３を構成するプログラムによる処理の流れを示すフローチャートである。処理が呼び出されると、別選択候補保存部９−３は、記憶部１から別候補の範囲閾値１−１を取得する（ステップＳ３１）。次に、別選択候補保存部９−３は、タッチパネル入力部５で選択候補が選択された箇所から別選択候補の範囲閾値１−１内に別選択候補があるか否かを確認する（ステップＳ３２）。
【００４９】
別選択候補保存部９−３は、タッチパネル入力部５で選択候補を選択した箇所から別選択候補の範囲閾値１−１内に別選択候補があると確認すると（ステップＳ３２で「ある」の場合）、記憶部１に別選択候補の情報１−２を保存する（ステップＳ３３）。他方、別選択候補保存部９−３は、タッチパネル入力部５で選択候補を選択した箇所から別選択候補の範囲閾値１−１内に別選択候補がないと確認すると（ステップＳ３２で「ない」の場合）、記憶部１に別選択候補の情報１−２としてＮＵＬＬ（空文字列、すなわち別選択情報無し）を保存する（ステップＳ３４）。
【００５０】
図７に示した例では、表示例６−２において選択候補６−１５ｂ（すなわち入力領域Ｂ１）から別選択候補の範囲閾値１−１内（鎖線Ｂ２の範囲内）に選択候補となる文字列「敏行」、「憲行」、「紀行」、「俊幸」、「敏之」及び「利行」を表す複数のソフトキー（の一部又は全部）が含まれている。よって、ステップＳ３２の判定結果が「ある」となって、ステップＳ３３で別選択候補保存部９−３が記憶部１に、文字列「敏行」、「憲行」、「紀行」、「俊幸」、「敏之」及び「利行」を表す複数のソフトキーに対応する情報を別選択候補情報１−２として記憶する。
【００５１】
一方、図８に示した例では、表示例６−５において選択候補６−５１（すなわち入力領域Ｂ１１）から別選択候補の範囲閾値１−１内（鎖線Ｂ１２の範囲内）に選択候補６−５２（「文字列Ａ」）及び選択候補６−４１（「画像Ｂ」）（の一部又は全部）が含まれている。よって、ステップＳ３２の判定結果が「ある」となって、ステップＳ３３で別選択候補保存部９−３が記憶部１に選択候補６−５２（「文字列Ａ」）と選択候補６−４１（「画像Ｂ」）に対応する情報を別選択候補情報１−２として記憶する。
【００５２】
図２において、ステップＳ１４の処理が終わると、タッチパネル入力情報取得部９−１は、処理を終了する。
【００５３】
ここで、図７に示した表示例６−２において選択候補６−１５ｂ（この場合「敏之」）が文字入力欄６−１４に表示された段階で、仮にユーザが、選択候補が意図するものであるとして確定するため、タッチパネル入力部５から指を離して入力領域Ｂ１の押下を終了したとする。この場合、選択候補確定指示検出部９−４によって、所定時間以内の押下が検出されるので、所定の割り込み信号が生成される。すると、図５に示すように、ステップＳ４１〜ステップＳ４２で選択候補確定指示検出部９−４からの割り込み信号待ちであった選択候補確定部９−５は、選択候補確定指示検出部９−４が生成した割り込み信号を検出する（ステップＳ４１）。選択候補確定部９−５は、選択候補確定指示検出部９−４が生成した割り込み信号を検出すると（ステップＳ４２でＹｅｓ）、選択された選択候補６−１５ｂ（この場合「敏之」）を選択候補として確定する（ステップＳ４３）。
【００５４】
同様に、図８に示した表示例６−５において選択候補６−５１（「文字列Ｂ」）の文字色が変更された段階で、仮にユーザが、選択候補が意図するものであるとしてこれを確定しようとして、タッチパネル入力部５から指を離して入力領域Ｂ１１の押下を終了したとする。この場合、選択候補確定指示検出部９−４によって、所定時間以内の押下が検出されることで、所定の割り込み信号が生成される。すると、図５に示すように、ステップＳ４１〜ステップＳ４２で選択候補確定指示検出部９−４からの割り込み信号待ちであった選択候補確定部９−５は、選択候補確定指示検出部９−４が生成した割り込み信号を検出する（ステップＳ４１）。選択候補確定部９−５は、選択候補確定指示検出部９−４が生成した割り込み信号を検出すると（ステップＳ４２でＹｅｓ）、選択された選択候補６−５１（「文字列Ｂ」）を選択候補として確定する（ステップＳ４３）。
【００５５】
一方、図７に示した表示例６−２において選択候補６−１５ｂ（この場合「敏之」）が文字入力欄６−１４に表示された段階で、ユーザが、選択候補６−１５ｂ（この場合「敏之」）が意図するものではないとして選択候補を再選択しようとタッチパネル入力部５の入力領域Ｂ１の押下を継続したとする。この場合、再選択指示検出部９−６によって、所定時間以上の継続した押下が検出されることで、所定の割り込み信号が生成される。すると、図６に示すように、ステップＳ５１〜ステップＳ５２で再選択指示検出部９−６からの割り込み信号待ちであった別選択候補表示部９−７は、再選択指示検出部９−６が生成した割り込み信号を検出する（ステップＳ５１）。別選択候補表示部９−７は、再選択指示検出部９−６が生成した割り込み信号を検出すると（ステップＳ５２でＹｅｓ）、別選択候補情報１−２を記憶部１から取得する（ステップＳ５３）。次に、別選択候補表示部９−７は、記憶部１に別選択候補情報１−２が保存されていた場合には（ステップＳ５４でＹｅｓの場合には）、別選択候補情報１−２に基づいて別選択候補を表示部６に表示する（ステップＳ５５）。図７の表示例６−３は、このステップＳ５５における別選択候補の表示例を示している。表示例６−３では、選択候補６−１５ａ（「憲行」）に対応するソフトキー６−３１ａ等を含む再選択候補欄６−３１が表示されている。
なお、ここで、再選択候補欄６−３１に表示されたソフトキー６−３１ａ「憲行」が選択された場合、別選択候補表示部９−７は、文字入力欄６−１４に表示されている“選択された文字列”「敏之」の選択を解除し、別選択候補保存部９−３から読み出した“別の選択候補”「憲行」を表示部６内の文字入力欄６−１４に表示する。
【００５６】
他方、記憶部１に別選択候補情報１−２が保存されていない場合には（ステップＳ５４でＮｏの場合には）、別選択候補表示部９−７は、別選択候補がない旨を表示する（ステップＳ５６）。
【００５７】
また、図８に示した表示例６−５において選択候補６−５１（「文字列Ｂ」）が表示色を変更した状態で表示された段階で、ユーザが、選択候補６−５１（「文字列Ｂ」）が意図するものではないとして選択候補を再選択しようとタッチパネル入力部５の入力領域Ｂ１１の押下を継続したとする。この場合、再選択指示検出部９−６によって、所定時間以上の継続した押下が検出されることで、所定の割り込み信号が生成される。すると、図６に示すように、ステップＳ５１〜ステップＳ５２で再選択指示検出部９−６からの割り込み信号待ちであった別選択候補表示部９−７は、再選択指示検出部９−６が生成した割り込み信号を検出する（ステップＳ５１）。別選択候補表示部９−７は、再選択指示検出部９−６が生成した割り込み信号を検出すると（ステップＳ５２でＹｅｓ）、別選択候補情報１−２を記憶部１から取得する（ステップＳ５３）。次に、別選択候補表示部９−７は、記憶部１に別選択候補情報１−２が保存されていた場合には（ステップＳ５４でＹｅｓの場合には）、別選択候補情報１−２に基づいて別選択候補を表示部６に表示する（ステップＳ５５）。図８の表示例６−６は、このステップＳ５５における別選択候補の表示例を示している。表示例６−６では、選択候補６−４１（「画像Ｂ」）に対応するソフトキー６−６１ａ等を含む再選択候補欄６−６１が表示されている。
なお、ここで、再選択候補欄６−６１に表示されたソフトキー６−６１ａ「画像Ｂ」が選択された場合、別選択候補表示部９−７は、表示されている“選択された文字列”「文字列Ｂ」の選択を解除し「文字列Ｂ」６−５１の表示色を変更前の色に戻す。また、別選択候補表示部９−７は、別選択候補保存部９−３から読み出した“別の選択候補” 「画像Ｂ」の表示色を変更する。
【００５８】
他方、記憶部１に別選択候補情報１−２が保存されていない場合には（ステップＳ５４でＮｏの場合には）、別選択候補表示部９−７は、別選択候補がない旨を表示する（ステップＳ５６）。
【００５９】
以上説明したように、本実施形態の端末装置１０によれば、ユーザが所定の再選択指示を行うだけで、誤選択された選択候補から所定の範囲内に位置する別の選択候補の情報が表示される。表示される別の選択候補は、誤選択された選択候補から所定の範囲内に位置していたものなので、ユーザが意図していた選択候補を含んでいる可能性が高い。すなわち、誤選択がなされた場合であっても、ユーザが所定の再選択指示を行えば、多くの場合、ユーザが意図していた選択候補を表示させることができる。よって本実施形態の端末装置１０によればタッチパネルを用いた入力操作における誤選択に係る操作の煩雑さを軽減することができる。
【００６０】
なお、上記の実施形態における特徴となる構成をまとめて表すと次の通りとなる。この構成の一例を、図９に示す。図９に示す通り、本発明の一致実施形態としての端末装置１０は、表示部６と、表示部６に一体として形成されたタッチパネル入力部（入力部）５と、タッチパネル入力部５に対するユーザによる入力操作に基づいて表示部６に表示されている所定の選択候補が選択されたことを検知するタッチパネル入力情報取得部（入力情報取得部）９−１と、タッチパネル入力情報取得部９−１によって選択された選択候補を示す情報が取得された場合、表示部６上で選択された選択候補から所定の範囲内に位置する別の選択候補の情報を保存する別選択候補保存部９−３と、選択された選択候補の変更を指示する再選択指示が発生したことを検出する再選択指示検出部９−６と、再選択指示検出部９−６が所定の再選択指示の発生を検出した場合、別選択候補保存部９−３が保存した別の選択候補の情報を読み出し、別の選択候補を選択する選択指示を入力する操作画面として表示部６に表示する別選択候補表示部９−７とを備えることを特徴とするものである。
【００６１】
また、本実施形態の端末装置１０による別選択候補の表示を、文字入力処理において用いた場合には次のような効果を得ることができる。第１の効果として、文字入力時の変換候補選択を誤った場合に速やかに再選択候補を表示され、修正（再選択）が速やかに実施できる。第２の効果として、文字入力時の変換候補選択を誤った場合に限られた再選択候補を例えば拡大したり、別ウィンドウで表示させたりすることによって、選択候補の選択誤りの率を低減させることができる。そして、第３の効果として、文字入力時の変換候補選択を誤った場合に限られた再選択候補を表示することにより、システムの負荷を低減することができる。
【００６２】
また、本実施形態の端末装置１０による別選択候補の表示を、ブラウザ閲覧機能におけるリンク選択時に用いた場合には次のような効果を得ることができる。例えばスマートフォン等では小さな画面上でＰＣ用のコンテンツを開くことが多い為、コンテンツ内に近い距離でリンクが並んでいる場合がある。この場合、正確にリンク先を選択するには、選択が正確にできるようにブラウザ画面を拡大するという機能を用いることになる。この機能を用いる場合にはリンク先に遷移するまでに操作回数が増えてしまう。ここで、本実施形態による別選択候補の表示機能を用いることで、タッチポイントから一定距離内のリンク候補を表示することができるので、ユーザは速やかに操作することが可能になる。
【００６３】
なお、本発明の実施の形態は上記のものに限定されず、例えば図１に示した複数のブロックを統合したり、分割したり、あるいは通信回線を介して分散して設けるようにしたりすることができる。また、別選択候補（すなわち再選択候補）として選択候補を再表示する場合には、最初に選択された選択候補を含めて表示してもよいし、含めないようにして表示してもよい。また、選択候補を再表示する場合に、選択候補に対応する文字列や画像が長かったり大きかったりする場合には、文字サイズや画像のサイズを縮小してすべてを表示するようにしたり、縮小せずにあるいは拡大して一部を表示するようにしたりすることができる。また、ユーザによる再選択指示を例えばタッチした指をスライド等させることで行う場合には、スライドの方向に意味を持たせるようにしてもよい。すなわち、例えば図８の表示例６−５では、選択された選択候補６−５１に対して意図した選択候補が、「文字列Ａ」である場合には図の上方向に指をスライドさせ、「画像Ｂ」である場合には図の下方向に指をスライドさせることで、スライドさせた方向の別選択候補を中心として別選択候補を選択して表示させるようにすること等ができる。
【００６４】
なお、本実施形態の端末装置１０は、ＣＰＵ４と、ＣＰＵ４によって実行されるプログラムとを用いて構成することができるが、そのプログラムは、コンピュータ読み取り可能な記録媒体や通信回線を介して流通させることができる。
【００６５】
また、上述の端末装置１０は、内部にコンピュータシステムを有している。そして、上述した端末装置１０の処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００６６】
また、端末装置１０における各機能部を実現するためのプログラムをコンピュータ読み取り可能な記録媒体に記録して、この記録媒体に記録されたプログラムをコンピュータシステムに読み込ませ、実行することにより、これまでに説明した処理を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００６７】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００６８】
１  記憶部
４  ＣＰＵ
５  タッチパネル入力部
６  表示部
７  ハードキー入力部
１−１  別選択候補の範囲閾値
１−２  別選択候補の情報
９−１  タッチパネル入力情報取得部
９−２  選択候補表示部
９−３  別選択候補保存部
９−４  選択候補確定指示検出部
９−５  選択候補確定部
９−６  再選択指示検出部
９−７  別選択候補表示部
【図１】
2013073327.tif 000003
【図２】
2013073327.tif 000004
【図３】
2013073327.tif 000005
【図４】
2013073327.tif 000006
【図５】
2013073327.tif 000007
【図６】
2013073327.tif 000008
【図７】
2013073327.tif 000009
【図８】
2013073327.tif 000010
【図９】
2013073327.tif 000011